(57)【要約】      （修正有）【課題】巻粘着テープを所定の被貼着面に貼着し、所望の位置で切断することができる移動型テープ切断装置において、粘着テープの端又は粘着面の係止がきちんとされず使用しづらい点を解消したテープカッターを提供する。【解決手段】粘着テープを所定の被貼着面に貼着し、所望の位置で切断することができる装置において、テープカッター２の右側面と左側面にアーム５を設け、左右のアームの支点を、指レバー６とスプリングを有するジョイントボルト８でアーム上下動自在に繋ぎ、アームの支点方向のもう一端をテープカッターの右側面と左側面の下から粘着テープの粘着面があたるための粘着面付着バー１０で繋いで、テープカッター先端の左右側面間に、粘着面付着バーの上下動の上限を定める粘着テープスットパー１１を湾曲形状に形成して、粘着テープスットパーにカッター刃１２を配設して」、テープカッター右側面に巻テープカバー１３を装着する。【選択図】図１
2015083515.tif 000002
【特許請求の範囲】
【請求項１】
巻粘着テープを格納する粘着テープケースと、粘着テープケース内の紙管ホルダーに格納された粘着テープから巻き外された粘着テープを所定の被貼着面に貼着し、所望の位置で切断することができるテープカッター装置において、テープカッターの右側面と左側面にアームを設け、左右のアームの支点を、指レバーとスプリングを有するジョイントボルトでアームを扇転自在に繋ぎ、アームの支点方向の他端をテープカッターの右側面と左側面の下から粘着テープの粘着面があたるための粘着面付着バーで繋いで、テープカッター先端の左右側面間に粘着面付着バーの上下動の上限を定める粘着テープスットパーを形成して、粘着テープスットパーにカッター刃を配設して、テープカッター側面に巻テープカバーが装着されていることを特徴とするテープカッター。
【請求項２】
前記テープカッターの右側面と左側面にアームにより稼働されるループアームを設け、ループアームのそれぞれの支点を、ショルダーボルトでテープカッターの右側面と左側面に扇転自在に留め、左右のループアームの支点方向のもう一端をテープカッター右側面と左側面の下からループアームバーで繋ぎ、アーム先端に溝を設け、ループアーム先端に左右のアームの扇転により左右のループアームとループアームバーが上下動されるためのポイント突起を形成して、粘着テープに突起を簡易に形成できることを特徴とする請求項１に記載のテープカッター。
【請求項３】
テープカッターにおいて、テープカッターの右側面と左側面のそれぞれにアームガイドを設け、アームガイドにアームを上下動自在に装着して、左右アームの上端間に、指レバーを装着し、指レバーにスプリングを装着するための上ポッケトを下向きに設け、左右アームの下端間に粘着面付着バーが形成されていて、テープカッター上面に、スプリングを装着するための下ポッケトを形成し、上ポッケトと下ポッケト間に円形スプリングを装着して、テープカッター先端にカッター刃と、テープカッター下部にローラーを装着して、粘着テープを導くテープガイド下部には、粘着面付着バーの上面と共に粘着テープを挟むテープスットパーが形成されて、テープカッター左側面内側に紙管ホルダーを形成し、紙管ホルダーの左右に溝を設け、溝に紙管の無駄な回転を防止するスプリングを装着し、テープカッター上部に粘着テープ押さえるカバーを装着していることを特徴とする請求項１又は請求項２のいずれかに記載のテープカッター。
【請求項４】
前記左右アームの下端間に設けられた粘着面付着管軸により粘着面付着管が左右アームの下端間に装着されて、粘着面付着管の内面に複数の突起が形成され、粘着面付着管軸の一部をスプリング形状にして、前記突起とスプリングの両者によりラチェット構造に成っていることを特徴とする請求項１乃至請求項３のいずれかに記載のテープカッター。
【請求項５】
巻粘着テープを収納して使用するテープカッターにおいて、テープカッターの右側面と左側面のそれぞれにアームを設け、左右のアームはジョイント軸とスプリングフックバーで固定され、ジョイント軸に左右のアーム跳ね上げスプリングを装着して、左右のアームはジョイント軸を支点に扇転自在に装着されて、左右のアームの一端間に設けられた粘着面付着管軸により粘着面付着管を装着して、粘着面付着管軸に軸スプリングを形成し、粘着面付着管内面円周に複数の突起を形成して、軸スプリングと複数の突起によりラチェット構造が形成されていて、右左側面のそれぞれにアーム止めフックと押しボタンを形成し、左右のアームに穴を設けて、左右の穴に左右のアーム止めフックが係止され、右左側面間にテープストッパーバーを形成しローラーと上カッター刃を装着して、テープカッター中間部の右左側面間に付着版と下カッター刃を設けて、テープホルダーにカバーを装着することを特徴とする請求項１乃至請求項４のいずれかに記載のテープカッター。
【請求項６】
巻粘着テープを収納して使用するテープカッターにおいて、テープカッター底面の左右にアームホルダーを設け、左右のアームホルダーにアームとアーム跳ね上げスプリングをアーム軸により装着してアームは扇転自在に成っていて、アーム跳ね上げスプリングの一端は左右のアーム間に形成されたスプリングフックバーに係止され他端はテープホルダーで留まっていて、左右のアーム間に粘着面付着管軸により粘着面付着管を装着して、左右のアームにアームフックを設けて、左右アームのアーム軸周囲に溝を設け、テープホルダーにアーム留を形成して、テープスットッパー下の右側面と左側面をアームフック留形状にしていることを特徴とする請求項１乃至請求項５のいずれかに記載のテープカッター。
【請求項７】
巻粘着テープを収納して使用するテープカッターにおいて、テープカッターの右側面と左側面を底面方向に広げ、広げた右側面内側と左側面内側に向かい合う溝を設けて、左右にアームが形成されたアーム取付け版を溝に上下動自在に装着して、左右のアーム間に粘着面付着管軸により粘着面付着管を装着して、アーム取付け版中央にスプリング留ポールを形成しスプリング留ポールに跳ね上げスプリングを装着して、右側面と左側面の底面方向にスプリングフックを形成し跳ね上げスプリングの両端を係止させて、テープホルダーにアーム取付け版フックと押しボタンを形成して、アーム取付け版に穴を設けることを特徴とする請求項１乃至請求項６のいずれかに記載のテープカッター。
【発明の詳細な説明】
【技術分野】
【０００１】
巻粘着テープを格納する粘着テープケースと、粘着テープケースに格納された粘着テープから巻き外された粘着テープを所定の被貼着面に貼着し、所望の位置で切断することができる装置に関する。
【背景技術】
【０００２】
従来ハンドテープカッターは、粘着テープを切断した後巻粘着テープ端がぶらりと下がり粘着面付着管又は左右の粘着面付着突起に触れ粘着テープの粘着面が付着していた。
【０００３】
しかしながら従来の切断した粘着テープ端の粘着面が、粘着面付着突起に触れずに巻粘着テープに張り付いて、粘着テープ端を再度探して剥がすのは手間がかかる欠点があった。
【先行技術文献】
【特許文献】
【０００４】
【特許文献１】特開２０００−２２９７６６号公報
【特許文献２】特開２０１３−６０２９６号公報
【発明の概要】
【発明が解決しようとする課題】
【０００５】
特許文献１は、テープ排出口にカッターの刃先が下りてくる、と共にテープ押し付け部により粘着テープの粘着面をテープ付着部に付着させているが、テープ付着部上が狭く粘着テープくりだしちゅうに粘着面がテープ付着部に接触する、又粘着テープとテープ付着部との角度がすくなく粘着テープ使用時にテープ付着部より粘着テープ面は、剥がしにくい。
【０００６】
特許文献２は、持ち運びに不便である。
【０００７】
本発明は、以上のような従来の欠点に鑑み、巻粘着テープから巻き外された粘着テープ端の粘着面を仮止めする粘着面付着装置を、下に移動できるテープカッター、を提供することで解消した。
【課題を解決するための手段】
【０００８】
請求項１は、巻粘着テープを格納する粘着テープケースと、粘着テープケース内の紙管ホルダーに格納された粘着テープから巻き外された粘着テープを所定の被貼着面に貼着し、所望の位置で切断することができるテープカッター装置において、テープカッターの右側面と左側面にアームを設け、左右のアームの支点を、指レバーとスプリングを有するジョイントボルトでアームを扇転自在に繋ぎ、アームの支点方向の他端をテープカッターの右側面と左側面の下から粘着テープの粘着面があたるための粘着面付着バーで繋いで、テープカッター先端の左右側面間に粘着面付着バーの上下動の上限を定める粘着テープスットパーを形成して、粘着テープスットパーにカッター刃を配設して、テープカッター側面に巻テープカバーが装着されているテープカッター。
【０００９】
請求項２は。前記テープカッターの右側面と左側面にアームにより稼働されるループアームを設け、ループアームのそれぞれの支点を、ショルダーボルトでテープカッターの右側面と左側面に扇転自在留め、左右のループアームの支点方向のもう一端をテープカッター右側面と左側面の下からループアームバーで繋ぎ、アーム先端に溝を設け、ループアーム先端に左右のアームの扇転により左右のループアームとループアームバーが上下動されるためのポイント突起を形成して、突起が形成されていない粘着テープに突起を簡易に形成できるテープカッター。
【００１０】
請求項３は、テープカッターにおいて、テープカッターの右側面と左側面のそれぞれにアームガイドを設け、アームガイドにアームを上下動自在に装着して、左右アームの上端間に、指レバーを装着し、指レバーにスプリングを装着するための上ポッケトを下向きに設け、左右アームの下端間に粘着面付着バーが形成されていて、テープカッター上面に、スプリングを装着するための下ポッケトを形成し、上ポッケトと下ポッケト間に円形スプリングを装着して、テープカッター先端にカッター刃と、テープカッター下部にローラーを装着して、粘着テープを導くテープガイド下部には、粘着面付着バーの上面と共に粘着テープを挟むテープスットパーが形成されて、テープカッター左側面内側に紙管ホルダーを形成し、紙管ホルダーの左右に溝を設け、溝に紙管の無駄な回転を防止するスプリングを装着し、テープカッター上部に粘着テープ押さえるカバーを装着しているテープカッター。
【００１１】
請求項４は、左右アームの下端間に設けられた粘着面付着管軸により粘着面付着管が左右アームの下端間に装着されて、粘着面付着管の内面に複数の突起が形成され、粘着面付着管軸の一部をスプリング形状にして、前記突起とスプリングの両者によりラチェット構造に成っているテープカッター。
【００１２】
請求項５は、巻粘着テープを収納して使用するテープカッターにおいて、テープカッターの右側面と左側面のそれぞれにアームを設け、左右のアームはジョイント軸とスプリングフックバーで固定され、ジョイント軸に左右のアーム跳ね上げスプリングを装着して、左右のアームはジョイント軸を支点に扇転自在に装着されて、左右のアームの一端間に設けられた粘着面付着管軸により粘着面付着管を装着して、粘着面付着管軸に軸スプリングを形成し、粘着面付着管内面円周に複数の突起を形成して、軸スプリングと複数の突起によりラチェット構造が形成されていて、右左側面のそれぞれにアーム止めフックと押しボタンを形成し、左右のアームに穴を設けて、左右の穴に左右のアーム止めフックが係止され、右左側面間にテープストッパーバーを形成して、ローラーと上カッター刃を装着して、テープカッター中間部の右左側面間に付着版と下カッター刃を設けて、テープホルダーにカバーを装着されているテープカッター。
【００１３】
請求項６は、巻粘着テープを収納して使用するテープカッターにおいて、テープカッター底面の左右にアームホルダーを設け、左右のアームホルダーにアームとアーム跳ね上げスプリングをアーム軸により装着してアームは扇転自在に成っていて、アーム跳ね上げスプリングの一端は左右のアーム間に形成されたスプリングフックバーに係止され、他端はテープホルダーで留まっていて、左右のアーム間に粘着面付着管軸により粘着面付着管を装着して、左右のアームにアームフックを設けて、左右アームのアーム軸周囲に溝を設け、テープホルダーにアーム留を形成して、テープスットッパー下の右側面と左側面をアームフック留形状にするテープカッター。
【００１４】
請求項７は、巻粘着テープを収納して使用するテープカッターにおいて、テープカッターの右側面と左側面を底面方向に広げ、広げた右側面内側と左側面内側に向かい合う溝を設けて、左右にアームが形成されたアーム取付け版を溝に上下動自在に装着して、左右のアーム間に粘着面付着管軸により粘着面付着管を装着して、アーム取付け版中央にスプリング留ポールを形成しスプリング留ポールに跳ね上げスプリングを装着して、右側面と左側面の底面方向にスプリングフックを形成し跳ね上げスプリングの両端を係止させて、テープホルダーにアーム取付け版フックと押しボタンを形成して、アーム取付け版に穴を設けてあるテープカッター。
【００１５】
請求項１に対応するテープカッターは、巻粘着テープを収納して使用するテープカッターの右側面と左側面のそれぞれにアームを設け、左右のアームの支点を、指レバーとスプリングを装着したジョイントボルトでアームを上下動自在に繋ぎ、アームの支点方向のもう一端をテープカッターの右側面と左側面の下から粘着テープの粘着面が付着する粘着面付着バーで繋ぎ、粘着面付着バー上面に丸みを持たせる。
【００１６】
テープカッター先端部の右側面内側と左側面内側間に、粘着面付着バーの上下動の上限を定めて粘着面付着バーの上面と共に粘着テープを挟む粘着テープスットパーを形成して、粘着テープスットパー下面に粘着面付着バー上面に形成した丸みのへこみを形成して、粘着テープスットパー先端にカッター刃を配設して、右側面に巻テープカバーを脱着容易に装着する。
【００１７】
請求項２に対応するテープカッターは、突起が形成されていない粘着テープに突起を簡易に形成する方法として、テープカッターの右側面と左側面のそれぞれに始動アームを設け、左右の始動アームの支点を、指レバーとスプリングを装着したジョイントボルトで始動アームを上下動自在に繋ぎ、始動アームの支点方向のもう一端をテープカッターの右側面と左側面の下から粘着テープの粘着面があたるための始動アームバーで繋ぐ。
【００１８】
更に右側面と左側面のそれぞれに始動アームにより稼働されるループアームを設け、左右のループアームのそれぞれの支点を、ショルダーボルトでそれぞれのループアームを上下動自在に右側面と左側面に留め、左右のループアームの支点方向のもう一端を右側面と左側面の下から粘着テープの粘着面があたるループアームバーで繋ぎ、左右のループアームに始動アームの上下動によりループアームとループアームバーが上下動されるためのポイント突起を形成する。
【００１９】
テープカッター先端の右側面内側と左側面内側間に、始動アームバーとループアームバーの上下動の上限を定めるテープスットパーを湾曲形状に形成して、テープスットパーに刃が湾曲形状の湾曲カッター刃を配設して、テープカッターの右側面に巻きテープカバーを脱着容易に装着する。
【００２０】
始動アームバーとループアームバーに粘着テープの粘着面があたる上面は、左右に扇状にひらいていて湾曲形状のテープスットパー下面にフィットする
【００２１】
請求項３に対応するテープカッターは、巻粘着テープを収納して使用するテープカッターの右側面と左側面のそれぞれにアームを装着するためのアームガイドを設け、アームガイドにアームを上下動自在に装着して、左右のアームの上端間に、指レバーを装着し、指レバーにスプリングを装着するための上ポッケトを下向きに設け、左右アームの下端間に巻粘着テープの粘着面が付着する粘着面付着バーが形成されている。
【００２２】
テープカッター上面に、指レバーを押し上げるためのスプリングを装着するために下ポッケトを形成し、上ポッケトと下ポッケト間に円形スプリングを挟む様に装着して、テープカッター先端にカッター刃と、テープカッター下部ローラーを装着して、巻粘着テープを導くテープガイド下部に、粘着面付着バーの上下動の上限を定めて粘着面付着バーの上面と共に粘着テープを挟むテープスットパーを形成する。
【００２３】
テープカッター右側面内側に巻粘着テープの紙管を収納する紙管ホルダーを形成し、紙管ホルダーの左右に溝を設け、溝に紙管の無駄な回転を防止するスプリングを設け、テープカッター上部に粘着テープ押さえるカバーを装着する。
【００２４】
請求項４に対応するテープカッターは、巻粘着テープを収納して使用するテープカッターの右側面と左側面のそれぞれにアームを装着するためのアームガイドを設け、アームガイドにアームを上下動自在に装着して、左右のアームの上端間に指レバーを装着し、指レバー下にスプリングを装着するための上ポッケトを指レバーに下向きに形成し、テープカッター上面に、指レバーを押し上げるためのスプリングを装着するために下ポッケトを形成し、上ポッケトと下ポッケト間に円形スプリングを挟む様に装着する。
【００２５】
左右アームの下端間に設けられた粘着面付着管軸により、粘着テープの粘着面が付着する粘着面付着管が左右アームの下端間に装着されている。
粘着面付着管の内面に突起が形成され、粘着面付着管軸の一部を軸スプリング形状にして、突起と軸スプリングの両者によりラチェット形状に成っている。
粘着面付着管面に、複数の突起又は溝を形成して粘着テープの粘着面と粘着面付着管（６面との付着し過ぎを調整する。
【００２６】
テープカッター先端にカッター刃と、テープカッター下部ローラーを装着して、巻粘着テープを導くテープガイド下部に、粘着面付着管の上下動の上限を定めて粘着面付着管の面と共に粘着テープを挟むテープスットパーを形成する。
【００２７】
テープカッター右側面内側に巻粘着テープの紙管を収納する紙管ホルダーを形成し、テープカッター上部に巻粘着テープ押さえるカバーを装着する。
【００２８】
請求項５に対応するテープカッターは、巻粘着テープを収納して使用するテープカッターの右側面と左側面のそれぞれにアームを設け、左右のアームはジョイント軸とスプリングフックバーで固定され、ジョイント軸に左右のアーム跳ね上げスプリングを装着して、スプリングの一端はテープホルダーで留まり他端はスプリングフックバーに留まっていて、左右のアームはジョイント軸を支点にスプリングにより扇転自在に装着されている。
【００２９】
左右のアームの一端間に設けられた粘着面付着管軸により粘着面付着管を装着して、粘着面付着管軸に軸スプリングを形成し、粘着面付着管内面円周に複数の突起を形成して、軸スプリングと複数の突起によりラチェット構造が形成されて、右側面と左側面のそれぞれに切り込みを設けてアーム止めフックと押しボタンを形成し、左右のアームに穴を設けて、左右の穴に左右のアーム止めフックを係止する。
【００３０】
テープカッター上部の右側面と左側面間に粘着テープを導き粘着面付着管軸とにより挟んで留めるためのテープストッパーバーを形成して、ローラーと上カッター刃を装着して、テープカッター中間部の右側面と左側面間に粘着テープ付着版と下カッター刃を設けて、テープホルダーにカバーを装着する。
【００３１】
請求項６に対応するテープカッターは、巻粘着テープを収納して使用するテープカッター底面の右側面側と左側面側のそれぞれにアームを取付けるためのアームホルダーを設け、左右のアームホルダーにアームとアーム跳ね上げスプリングをアーム軸により装着してアームは扇転自在に成っていて、アーム跳ね上げスプリングの一端は左右アーム間に形成されたスプリングフックバーに係止され、他端はテープホルダーで留まっている。
【００３２】
アームホルダーにアーム軸で留められた左右アームの他端に、粘着面付着管軸により粘着面付着管を装着して、粘着面付着管軸は左右アームに固定されていて、粘着面付着管軸に軸スプリングを形成し、粘着面付着管 内面円周に複数の突起を形成して、軸スプリングと複数の突起によりラチェット構造が形成されて、左右アームにアームフックを設ける。
【００３３】
左右アームのアーム軸周囲に溝を設け、テープホルダーに２本の切れ込みを形成して２本の切れ込み間をアーム留にする。
【００３４】
テープカッター上部の右側面側と左側面間にテープスットッパーを形成して、テープスットッパー下の右側面と左側面をアームフック留形状にして、右側面側と左側面間に回転自在にローラーを設けカッター刃を配設して、テープホルダーにテープカバーを脱着容易に装着する。
【００３５】
請求項７に対応するテープカッターは、巻粘着テープを収納して使用するテープカッターの右側面と左側面を底面方向に広げ、広げた右側面内側と左側面内側に向かい合う溝を設けて、溝に左右にアームが形成されたアーム取付け版を上下動自在装着する。
【００３６】
左右のアーム間に粘着面付着管軸により粘着面付着管を装着して、粘着面付着管軸は左右アームに固定されていて、粘着面付着管軸に軸スプリングを形成し、粘着面付着管内面円周に複数の突起を形成して、軸スプリングと複数の突起によりラチェット構造が形成されている。
【００３７】
アーム取付け版中央にスプリング留ポールを形成して、スプリング留ポールにアーム取付け版跳ね上げスプリングを装着して、右側面と左側面の底面方向に跳ね上げスプリングフックを形成しスプリングの両端をスプリングフックに係止して、テープホルダーに２本の切り込みを設け、切り込み間にアーム取付け版フックと押しボタンを形成して、アーム取付け版にアーム取付け版フックを留めるための穴を設ける。
【００３８】
テープカッター上部の右側面と左側面間にテープスットッパーを形成し、回転自在にローラーを装着し、カッター刃を配設して、テープホルダーにテープカバーを脱着容易に装着する。
【発明の効果】
【００３９】
以下図面に基づき説明する。
図１−図４符合１−１３は、粘着テープ（１）を収納して使用するテープカッター（２）の右側面（３）と左側面（４）のそれぞれにアーム（５）を設け、左右のアーム（５）の支点を、指レバー（６）とスプリング（７）を装着したジョイントボルト（８）でアーム（５）を上下動自在に繋ぎ、アーム（５）の支点方向のもう一端をテープカッター（２）の右側面（３）と左側面（４）の下から粘着テープ（１）の粘着面（９）が付着する粘着面付着バー（１０）で繋いであることにおいて、指レバー（６）を押し下げて、アーム（５）と粘着面付着バー（１０）を下げることができ、押した指レバー（６）を緩めてアーム（５）と粘着面付着バー（１０）を上げることができる。
【００４０】
粘着面付着バー（１０）上面に丸みを持たせ、テープカッター（２）先端の右側面（３）内側と左側面（４）内側間に、粘着面付着バー（１０）の上下動の上限を定める粘着テープスットパー（１１）を形成してあることにおいて、粘着テープ（１）を粘着テープスットパー（１１）と粘着面付着バー（１０）で挟んで粘着テープ（１）を係止でき、又粘着面付着バー（１０）を下げ粘着面付着バー（１０）より粘着テープ（１）の粘着面（９）を剥がすさいに粘着面付着バー（１０）上面の丸みにより粘着面付着バー（１０）上面と粘着テープ（１）の粘着面（９）との角度が増して剥がし易い。
【００４１】
粘着面付着バー（１０）をアーム（５）より脱着容易にして、粘着テープ（１）の粘着面（９）が付着する粘着面付着バー（１０）上面に複数の溝又は突起を形成して、粘着面（９）の粘着度に対応した形状の粘着面付着バー（１０）を装着されていることにおいて、粘着面付着バー（１０）上面と粘着面（９）との付着度と剥がれ度のバランスが調整できる。
【００４２】
図５−図９符合１４−３１は、ループアーム（２５）とループアームバー（２７）を設けて使用の場合、ループアーム（２５）とループアームバー（２７）を設けないで使用の場合に加え、右側面（１８）と左側面（１９）のそれぞれに始動アーム（２０）より可動されるループアーム（２５）を設け、ループアーム（２５）それぞれの支点をボルト（２６）でそれぞれのループアーム（２５）が上下動自在に右側面（１８）と左側面（１９）留め、ループアーム（２５）の支点方向のもう一端を右側面（１８）と左側面（１９）の下から粘着面（１６）があたるループアームバー（２７）で繋いでいる。
【００４３】
前記始動アーム（２０）の上下動によりループアームバー（２７）が押し下げられるためのポイント突起（２８）が形成されていることにおいて、指レバー（２１）を下に押し下げ始動アーム（２０）とループアーム（２５）が巻粘着テープ（１４）に接近しつつ下がり粘着テープ（１４）が引っ張らず、始動アームバー（２４）とループアームバー（２７）上面より粘着テープ（１４）が剥がれない、と共に始動アームバー（２４）とループアームバー（２７）の距離を接近することができる。
【００４４】
始動アームバー（２４）とループアームバー（２７）の粘着テープ（１４）の粘着面（１６）があたる上面は左右に扇状にひらいて、湾曲形状のテープスットパー（２９）下面にフィットする形状をなしていることにおいて、始動アームバー（２４）とループアームバー（２７）が接近する、と共に始動アームバー（２４）とループアームバー（２７）間の粘着テープがループ形状を成すことができる。
【００４５】
テープスットパー（２９）に刃が湾曲形状の湾曲カッター刃（３０）を配設されていることにおいて、引き出した粘着テープ（１４）の端から湾曲カッター刃（３０）の刃はあたり、テープカッター（１７）を上から押すだけでテープを切断できる、真直ぐの刃の場合粘着テープ（１４）の端に真直ぐの刃をあてるためにテープカッター（１７）を左右に傾斜させてテープを切断しなければならない。
【００４６】
図１０−図１３符合３２−５０は、巻粘着テープ（３２）を収納して使用するテープカッター（３３）の右側面（３４）と左側面（３５）のそれぞれにアームガイド（３７）を設けてあることにおいて、アームガイド（３７）にアーム（３６）を上下動自在に装着できる。
【００４７】
左右アーム（３６）の上端間に、指レバー（３８）を装着し、指レバー（３８）に上ポッケト（４０）を下向きに設け、テープカッター（３３）上面に下ポッケト（４３）を形成してあることにおいて、上ポッケト（４０）と下ポッケト（４３）間にスプリング（３９）を挟む様に装着できる。
【００４８】
左右アーム（３６）の下端間に粘着テープ（３２）の粘着面（４１）が付着する粘着面付着バー（４２）が形成され、粘着テープ（３２）を導くテープガイド下部にテープスットパー（４６）を形成してあることにおいて、粘着面付着バー（４２）とテープスットパー（４６）で粘着テープ（３２）を挟んで粘着テープ（３２）を係止できる。
【００４９】
テープカッター（３３）左側面（３５）内側に形成された巻粘着テープ（３２）の紙管を収納する紙管ホルダー（４７）の左右に溝（４８）を設け、溝（４８）にスプリング（４９）が装着されていることにおいて、紙管の無駄な回転を防止することができる。
【００５０】
図１４−図１７符合５１−７０は、左右アーム（５５）の下端間に設けられた粘着面付着管軸（６１）により巻粘着テープ（５１）の粘着面（６０）が付着する粘着面付着管（６２）が左右アーム（５５）の下端間に装着されて、粘着面付着管（６２）の内面に複数の突起(６３)が形成され、粘着面付着管軸(６１)の一部を軸スプリング(６４)形状にして、突起(６３)と軸スプリング(６４)の両者によりラチェット機能形状に成っていて、粘着面付着管（６２）面は、複数の突起又は溝が形成されていることにおいて、ローラー（６７）下の粘着テープ（５１）の端を粘着テープ（５１）使用始め箇所にもって行き、テープカッター（５２）を移動させ粘着テープ（５１）使用箇所終わり端にテープカッター（５２）先端のカッター刃（６６）を合わせてからカッター刃（６６）で粘着テープ（５１）を切断出来る。
【００５１】
粘着面付着管（６２）の内面に突起(６３)が形成され、粘着面付着管軸(６１)の一部を軸スプリング(６４)形状にして、突起(６３)と軸スプリング(６４)の両者によりラチェット形状に成っていることにおいて、粘着面付着管（６２）は粘着テープ（５１）引出方向にのみ回転し粘着テープ（５１）を切断後粘着テープ（５１）切断端は巻き込まれることはない。
【００５２】
図１８−図２１符合７１−９４は、巻粘着テープ（７１）を収納して使用するテープカッター（７２）の右側面（７３）と左側面（７４）のそれぞれにアーム（７５）を設け、左右のアーム（７５）はジョイント軸(７６)とスプリングフックバー(７７)で固定され、ジョイント軸(７６)に左右のアーム（７５）跳ね上げスプリング(７８)を装着して、スプリング(７８)の一端はテープホルダー(７９)で留まり他端はスプリングフックバー(７７)に留まっていることにおいて、左右のアーム（７５）はジョイント軸(７６)を支点にスプリング(７８)により扇転自在にすることが出来る。
【００５３】
左右のアーム（７５）の一端間に粘着面付着管軸（８０）と粘着面付着管(８１)を装着して、粘着面付着管軸（８０）に軸スプリング(８２)を形成し粘着面付着管(８１) 内面円周に複数の突起(８３)を形成して軸スプリング(８２)と複数の突起(８３)によりラチェット(８４)機能が形成されていることにおいて、テープカッター（７２）を使用中又は使用後粘着テープ（７１）は巻きもどることはない。
【００５４】
右側面（７３）と左側面（７４）のそれぞれに切り込みを設けてアーム（７５）止めフック(８５)と押しボタン(８６)を形成し、左右のアーム（７５）に穴(８７)を設けていることにおいて、左右の穴(８７)に左右のアーム（７５）止めフック(８５)を係止することができる。
【００５５】
図２２−図２５符合９５−１１９は、テープカッター（９６）底面(９７)の右側面（９８）側と左側面（９９）側のそれぞれにアーム（１００）を取付けるためのアームホルダー(１０１)を設け、左右のアームホルダー(１０１)にアーム（１００）とアーム跳ね上げスプリング(１０２)をアーム軸(１０３)により装着して、他端に粘着面付着管軸（１０６）により粘着面付着管(１０７)を装着してあることにおいて、左右アーム（１００）は右側面（９８）と左側面（９９）間に配設される。
【００５６】
左右アーム（１００）のアーム軸(１０３)周囲に溝(１１２)を設け、テープホルダー(１０５)に２本の切れ込みを形成して２本の切れ込み間をアーム留(１１３)にすることにおいて、粘着面付着管(１０７)と左右アーム（１００）を下げて、溝(１１２)にアーム留(１１３)を係止することが出来る。
【００５７】
図２６−図２９符合１２０−１４４は、巻粘着テープ（１２０）を収納して使用するテープカッター（１２１）の右側面（１２２）と左側面（１２３）を底面(１２４)方向に広げ、広げた右側面（１２２）内側と左側面（１２３）内側に向かい合う溝(１２５)を設けて、溝(１２５)に左右にアーム(１２６)が形成されたアーム取付け版(１２７)を装着することにおいて、溝(１２５)にアーム取付け版(１２７)を滑らせて粘着面付着管(１２９)を上下動することが出来る。
【００５８】
アーム取付け版(１２７)中央にスプリング留ポール(１３３)を形成して、スプリング留ポール(１３３)にアーム取付け版(１２７)跳ね上げスプリング(１３４)を装着して、右側面（１２２）と左側面（１２３）の底面(１２４)方向に跳ね上げスプリングフック(１３５)を形成しスプリング(１３４)の両端をスプリングフック(１３５)に係止してあることにおいて、粘着面付着管(１２９)とテープスットッパー(１４０)によりに粘着テープ（１２０）を挟んでおくことができる。
【００５９】
テープホルダー(１３６)に２本の切り込みを設け、切り込み間にアーム取付け版フック(１３７)と押しボタン(１３８)を形成して、アーム取付け版(１２７)に穴(１３９)を設けたことにおいて、アーム取付け版フック(１３７)に穴(１３９)を係止して、着面付着管(１２９)を下げてテープスットッパー(１４０)と着面付着管(１２９)の間に粘着テープ（１２０）端引き出しスペースを作ることが出来る。
【図面の簡単な説明】
【００６０】
【図１】テープカッター（２）の右側面（３）図。
【図２】テープカッター（２）の平面図、切断線Ａ−Ａ線を示す。
【図３】図２のＡ−Ａ線切断部端面図。
【図４】図２のＡ−Ａ線切断部端面図、指レバー（６）を押し下げてアーム（５）と粘着面付着バー（１０）を下げている。
【図５】テープカッター（１７）の右側面（１８）図。
【図６】テープカッター（１７）の右側面（１８）図、指レバー（２１）を押し下げて始動アームバー（２４）とループアームバー（２７）を下げ、始動アームバー（２４）とループアームバー（２７）を接近させている。
【図７】テープカッター（１７）の平面図、切断線Ｂ−Ｂ線を示す。
【図８】図７のＢ−Ｂ線切断部端面図。
【図９】図７のＢ−Ｂ線切断部端面図、指レバー（２１）を押し下げて始動アームバー（２４）とループアームバー（２７）を下げ、始動アームバー（２４）とループアームバー（２７）を接近させている。
【図１０】テープカッター（３３）の右側面（３４）図。
【図１１】テープカッター（３３）の平面図、切断線Ｃ−Ｃ線を示す。
【図１２】図１１のＣ−Ｃ線切断部端面図。
【図１３】図１１のＣ−Ｃ線切断部端面図、指レバー（３８）を押し下げてアーム（３６）と粘着面付着バー（４２）を下げている。
【図１４】テープカッター（５２）の右側面（５３）図。
【図１５】テープカッター（５２）の平面図、切断線D−D線を示す。
【図１６】図１５のD−D線切断部端面図。
【図１７】図１６のD−D線切断部端面図、指レバー（５７）を押し下げてアーム（５５）と粘着面付着管（６２）を下げている。
【図１８】テープカッター（７２）の右側面図。
【図１９】テープカッター（７２）の平面図、切断線E−E線を示す。
【図２０】図１９のE−E線切断部端面図。
【図２１】テープカッター（７２）の右側面（７３）図、アームと粘着面付着管(８１)を上げている。
【図２２】テープカッター（９６）の右側面図。
【図２３】テープカッター（９６）の底面図、切断線F−F線を示す。
【図２４】図２３のF−F線切断部端面図。
【図２５】テープカッター（９６）の右側面図、アーム(１００)と粘着面付着管(１０７)を下げている。
【図２６】テープカッター（１２１）の右側面図。
【図２７】テープカッター（１２１）の底面図、切断線G−G線を示す。
【図２８】図２７のG−G線切断部端面図。
【図２９】テープカッター（１２１）の右側面図、アーム(１２６)とアーム取付け版(１２７)と粘着面付着管(１２９)を下げている。
【発明を実施するための形態】
【００６１】
以下図面に基づき説明する。
図１−図４符合１−１３は、巻粘着テープ（１）を収納して使用するテープカッター（２）の右側面（３）と左側面（４）のそれぞれにアーム（５）を設け、左右のアーム（５）の支点を指レバー（６）とスプリング（７）を装着したジョイントボルト（８）とナットで繋ぎ、スプリング（７）の両端は右側面（３）と左側面（４）の内側に設けたスプリングフックに係止され、左右のアーム（５）と指レバー（６）は扇転自在に成っていて、アーム（５）の支点方向のもう一端をテープカッター（２）右側面（３）と左側面（４）下から粘着テープ（１）の粘着面（９）が付着する粘着面付着バー（１０）で繋ぎ、粘着面付着バー（１０）上面に丸みを持たせ溝又は突起を設ける。
(粘着面付着バー（１０）を粘着面付着管軸して、粘着面付着管軸に粘着面付着管を装着して粘着面付着管内部にラチェット形状を構成する。) 
【００６２】
テープカッター（２）先端部の右側面（３）内側と左側面（４）内側間に、粘着面付着バー（１０）の上下動の上限を定めて粘着面付着バー（１０）の上面と共に粘着テープ（１）を挟む粘着テープスットパー（１１）を形成して、粘着テープスットパー（１１）先端にカッター刃（１２）を配設して、右側面（３）に巻テープカバー（１３）を脱着容易に装着する。
【００６３】
図１−図４符合１−１３でのテープカッター（２）への巻粘着テープ（１）の挿入方法は、テープカッター（２）の右側面（３）より巻テープカバー（１３）を外して、巻粘着テープ（１）の端を数センチ剥がしてからテープカッター（２）に挿入し、外した巻テープカバー（１３）を装着する。
【００６４】
指レバー（６）を押し下げアーム（５）と粘着面付着バー（１０）を下げてから、粘着テープ（１）の端を、左右のアーム（５）間であり粘着テープスットパー（１１）下面の下であり粘着面付着バー（１０）上面の上を通して粘着テープ（１）をカッター刃（１２）迄引き出して、指レバー（６）を緩めて粘着面付着バー（１０）を上げることにより粘着テープ（１）は粘着テープスットパー（１１）下面と粘着面付着バー（１０）上面に挟まれ係止する。
【００６５】
図１−図４符合１−１３の使用方法は、粘着テープスットパー（１１）の下に位置する粘着テープ（１）の端を粘着テープ（１）貼り付け箇所に粘着テープスットパー（１１）先端下で押し付けてから、指レバー（６）を押し下げると共に、粘着面付着バー（１０）上面から粘着テープ（１）の粘着面（９）が剥がれ、テープカッター（２）を貼り付け箇所の終わり点方向に引き、粘着テープ（１）貼り付け箇所の終わり点にカッター刃（１２）を持って行き、指レバー（６）を緩め粘着面付着バー（１０）を上げて粘着テープ（１）を粘着テープスットパー（１１）下面と粘着面付着バー（１０）上面に挟んで係止させ粘着テープ（１）をカッター刃（１２）で切断する。
【００６６】
図５−図９符合１４−３１は、突起（１５）が形成されていない粘着テープ（１４）に突起（１５）を簡易に形成する方法として、テープカッター（１７）の右側面（１８）と左側面（１９）のそれぞれの一方の端に溝を有する始動アーム（２０）を設け、左右の始動アーム（２０）の支点を、指レバー（２１）とスプリング（２２）を装着したジョイントボルト（２３）とナットで始動アーム（２０）を上下動自在に繋ぎ、始動アーム（２０）の支点方向のもう一端をテープカッター（１７）の右側面（１８）と左側面（１９）下から粘着テープ（１４）の粘着面（１６）があたるための始動アームバー（２４）で繋ぐ。
【００６７】
更に右側面（１８）と左側面（１９）のそれぞれに始動アーム（２０）により稼働されるループアーム（２５）を設け、左右のループアーム（２５）のそれぞれの支点を、ショルダーボルト（２６）とナットでそれぞれのループアーム（２５）を上下動自在に右側面（１８）と左側面（１９）に留め、左右のループアーム（２５）の支点方向のもう一端を右側面（１８）と左側面（１９）の下から粘着テープ（１４）の粘着面（１６）があたるループアームバー（２７）で繋ぎ、左右のループアーム（２５）に始動アーム（２０）の上下動によりループアーム（２５）とループアームバー（２７）が上下動されるためのポイント突起（２８）を形成する。
【００６８】
テープカッター（１７）先端の右側面（１８）内側と左側面（１９）内側間に、始動アームバー（２４）とループアームバー（２７）の上下動の上限を定めるテープスットパー（２９）を湾曲形状に形成して、テープスットパー（２９）に刃が湾曲形状の湾曲カッター刃（３０）を配設して、テープカッター（１７）の右側面（１８）に巻テープカバー（３１）を脱着容易に装着する。
【００６９】
始動アームバー（２４）とループアームバー（２７）に粘着テープ（１４）の粘着面（１６）があたる上面は、左右に扇状にひらいていて湾曲形状のテープスットパー（２９）下面にフィットする。
【００７０】
図５−図９符合１４−３１での粘着テープ（１４）のテープカッター（１７）への挿入は、テープカッター（１７）の右側面（１８）より巻テープカバー（３１）を外し、巻粘着テープ（１４）をテープカッター（１７）に挿入し、巻テープカバー（３１）を右側面（１８）に装着して、指レバー（２１）を押し下げてジョイントボルト（２３）を回すと共に始動アーム（２０）が下がる、と共に左右のループアーム（２５）先端のポイント突起（１５）によりループアーム（２５）も下がり、始動アームバー（２４）とループアームバー（２７）が下がる。
【００７１】
粘着テープ（１４）端を、左右の始動アーム（２０）とループアーム（２５）の内側であり始動アームバー（２４）とループアームバー（２７）の上であり、テープスットパー（２９）の下を通してから、指レバー（２１）を緩める、と共にスプリング（２２）により始動アームバー（２４）とループアームバー（２７）が上って、粘着テープ（１４）の粘着面（１６）に始動アームバー（２４）とループアームバー（２７）の上面は粘着して、粘着テープ（１４）のテープカッター（１７）への挿入は完了する
【００７２】
図５−図９符合１４−３１での巻粘着テープ（１４）が装着されたテープカッター（１７）の使用方法は、指レバー（２１）を押し下げると始動アームバー（２４）とループアームバー（２７）が下がる、と共に始動アームバー（２４）とループアームバー（２７）はじょじょに接近して、始動アームバー（２４）とループアームバー（２７）上面に粘着している粘着テープ（１４）はループ形状を成す。
【００７３】
粘着テープ（１４）のループ形状部分を指で押しつぶして突起（１５）形状にしてから突起（１５）又は粘着テープ（１４）の先端を引っ張って粘着テープ（１４）を始動アームバー（２４）とループアームバー（２７）の上面から剥がす。
【００７４】
始動アームバー（２４）とループアームバー（２７）から剥がした粘着テープ（１４）先端を引っ張って粘着テープ（１４）を引き出して、粘着テープ（１４）使用箇所に貼り、粘着テープ（１４）を湾曲カッター刃（３０）で切断寸前に指レバー（２１）を緩める、と共に始動アームバー（２４）とループアームバー（２７）が上って粘着テープ（１４）の粘着面（１６）に始動アームバー（２４）とループアームバー（２７）上面を粘着させてから、粘着テープ（１４）を湾曲カッター刃（３０）で切断する。
【００７５】
図１０−図１３符合３２−５０は、巻粘着テープ（３２）を収納して使用するテープカッター（３３）の右側面（３４）と左側面（３５）のそれぞれにアーム（３６）を装着するためのアームガイド（３７）を設け、アームガイド（３７）にアーム（３６）を上下動自在に装着して、左右のアーム（３６）の上端間に、指レバー（３８）を装着し、指レバー（３８）にスプリング（３９）を装着するための上ポッケト（４０）を下向きに設け、左右アーム（３６）の下端間に巻粘着テープ（３２）の粘着面（４１）が付着する粘着面付着バー（４２）が形成されている。
【００７６】
テープカッター（３３）上面に、指レバー（３８）を押し上げるためのスプリング（３９）を装着するために下ポッケト（４３）を形成し、上ポッケト（４０）と下ポッケト（４３）間に円形スプリング（３９）を挟む様に装着して、テープカッター（３３）先端にカッター刃（４４）と、テープカッター（３３）下部ローラー（４５）を装着して、粘着テープ（３２）を導くテープガイド下部に、粘着面付着バー（４２）の上下動の上限を定めて粘着面付着バー（４２）の上面と共に粘着テープ（３２）を挟むテープスットパー（４６）を形成する。
【００７７】
テープカッター（３３）左側面（３５）内側に巻粘着テープ（３２）の紙管を収納する紙管ホルダー（４７）を形成し、紙管ホルダー（４７）の左右に溝（４８）を設け、溝に紙管の無駄な回転を防止するスプリング（４９）を設け、テープカッター（３３）上部に巻粘着テープ（３２）押さえるカバー（５０）を装着する。
【００７８】
図１０−図１３符合３２−５０でのテープカッター（３３）への巻粘着テープ（３２）の挿入方法は、テープカッター（３３）よりカバー（５０）を上げ、テープカッター（３３）左側面（３５）内側に形成された紙管ホルダー（４７）の溝（４８）よりスプリング（４９）を外し巻粘着テープ（３２）を装着し、外したスプリング（４９）を紙管ホルダー（４７）の溝（４８）に装着する。
【００７９】
指レバー（３８）を押し下げ左右のアーム（３６）と粘着面付着バー（４２）を下げ、テープスットパー（４６）から粘着面付着バー（４２）を離して、紙管ホルダー（４７）に装着された巻粘着テープ（３２）の端を左右のアーム（３６）間でありテープスットパー（４６）下で粘着面付着バー（４２）の上を通過させて、ローラー（４５）下迄持っていき指レバー（３８）を緩めると共に、粘着面付着バー（４２）が上り粘着テープ（３２）はテープスットパー（４６）と粘着面付着バー（４２）に挟まれ係止する。
【００８０】
図１０−図１３符合３２−５０の使用方法は、ローラー（４５）下の粘着テープ（３２）の端を粘着テープ（３２）使用箇所にもって行きローラー（４５）で押さえてから指レバー（３８）を押し下げ粘着面付着バー（４２）を下げて粘着面（４１）から粘着面付着バー（４２）を剥がす。
【００８１】
テープカッター（３３）を移動させ粘着テープ（３２）使用箇所端にテープカッター（３３）先端のカッター刃（４４）を合わせてから指レバー（３８）を緩め、粘着面付着バー（４２）を上げて、粘着テープ（３２）をテープスットパー（４６）と粘着面付着バー（４２）に挟んで係止してからカッター刃（４４）で粘着テープ（３２）を切断する。
【００８２】
図１４−図１７符合５１−７０は、巻粘着テープ（５１）を収納して使用するテープカッター（５２）の右側面（５３）と左側面（５４）のそれぞれにアーム（５５）を装着するためのアームガイド（５６）を設け、アームガイド（５６）にアーム（５５）を上下動自在に装着して、左右のアーム（５５）の上端間に指レバー（５７）を装着し、指レバー（５７）下にスプリング（５８）を装着するための上ポッケト（５９）を指レバー（５７）に下向きに形成し、テープカッター（５２）上面に、指レバー（５７）を押し上げるためのスプリング（５８）を装着するために下ポッケト（６５）を形成し、上ポッケト（５９）と下ポッケト（６５）間に円形スプリング（５８）を挟む様に装着する。
【００８３】
左右アーム（５５）の下端間に固定されて設けられた粘着面付着管軸（６１）により、粘着テープ（５１）の粘着面（６０）が付着する粘着面付着管（６２）が左右アーム（５５）の下端間に装着されている。
粘着面付着管（６２）の内面に突起(６３)が円周状に形成され、粘着面付着管軸（６１）の一部を軸スプリング(６４)形状にして、突起(６３)と軸スプリング(６４)の両者によりラチェット形状に成っている。
粘着面付着管（６２）面に、複数の突起又は溝を形成して粘着テープ（５１）の粘着面（６０）と粘着面付着管（６２）面との付着し過ぎを調整する。
【００８４】
テープカッター（５２）先端にカッター刃（６６）と、テープカッター（５２）下部ローラー（６７）を装着して、巻粘着テープ（５１）を導くテープガイド下部に、粘着面付着管（６２）の上下動の上限を定めて粘着面付着管（６２）の面と共に粘着テープ（５１）を挟むテープスットパー（６８）を形成する。
【００８５】
テープカッター（５２）右側面（５３）内側に巻粘着テープ（５１）の紙管を収納する紙管ホルダー（６９）を形成し、テープカッター（５２）上部に巻粘着テープ（５１）押さえるカバー（７０）を装着する。
【００８６】
図１４−図１７符合５１−７０でのテープカッター（５２）への巻粘着テープ（５１）の挿入方法は、テープカッター（５２）よりカバー（７０）を上げ、テープカッター（５２）左側面（５４）内側に形成された紙管ホルダー（６９）に巻粘着テープ（５１）を装着する
【００８７】
指レバー（５７）を押し下げ左右のアーム（５５）と粘着面付着管（６２）を下げ、テープスットパー（６８）から粘着面付着管（６２）をはなして、紙管ホルダー（６９）に装着された巻粘着テープ（５１）の端を左右のアーム（５５）間でありテープスットパー（６８）下で粘着面付着管（６２）の上を通過させて、ローラー（６７）下迄持っていき指レバー（５７）を緩めると共に、粘着面付着管（６２）が上り粘着テープ（５１）はテープスットパー（６８）と粘着面付着管（６２）に挟まれ係止する。
【００８８】
図１４−図１７符合５１−７０の使用方法は、ローラー（６７）下の粘着テープ（５１）の端を粘着テープ（５１）使用箇所にもって行き、ローラー（６７）で押さえてからテープカッター（５２）を移動させると共に粘着面付着管（６２）が回転して、粘着テープ（５１）使用箇所端にテープカッター（５２）先端のカッター刃（６６）を合わせてからカッター刃（６６）で粘着テープ（５１）を切断する。
【００８９】
図１８−図２１符合７１−９４は、巻粘着テープ（７１）を収納して使用するテープカッター（７２）の右側面（７３）と左側面（７４）のそれぞれにアーム（７５）を設け、左右のアーム（７５）はジョイント軸(７６)とスプリングフックバー(７７)で固定され、ジョイント軸(７６)に左右のアーム（７５）跳ね上げスプリング(７８)を装着して、スプリング(７８)の一端はテープホルダー(７９)で留まり他端はスプリングフックバー(７７)に留まっていて、左右のアーム（７５）はジョイント軸(７６)を支点にスプリング(７８)により扇転自在に装着されている。
【００９０】
左右のアーム（７５）の一端間に固定され設けられた粘着面付着管軸（８０）により粘着面付着管(８１)を装着して、粘着面付着管軸（８０）に軸スプリング(８２)を形成し、粘着面付着管(８１) 内面円周に複数の突起(８３)を形成して、軸スプリング(８２)と複数の突起(８３)によりラチェット(８４)機能が形成されている。
【００９１】
右側面（７３）と左側面（７４）のそれぞれに切り込みを設けてアーム（７５）止めフック(８５)と押しボタン(８６)を形成し、左右のアーム（７５）に穴(８７)を設けて、左右の穴(８７)に左右のアーム（７５）止めフック(８５)を係止する。
【００９２】
テープカッター（７２）上部の右側面（７３）と左側面（７４）間に粘着テープ（７１）を導き粘着面付着管軸（８０）とにより挟んで留めるためのテープストッパーバー(８８) を形成して、ローラー(８９)と上カッター刃(９０)を装着する。
【００９３】
テープカッター（７２）中間部の右側面（７３）と左側面（７４）間に粘着テープ（７１）付着版(９１)と下カッター刃(９２)を設けて、テープホルダー(７９)にカバー(９３)を装着する。
【００９４】
図１８−図２１符合７１−９４の置型テープカッターとしての使用方法は、左右のアーム（７５）を下げて左右のアーム（７５）に設けた穴(８７)に右側面（７３）と左側面（７４）に形成されたアーム（７５）止めフック(８５)を係止して、粘着面付着管(８１)が跳ね上げスプリング(７８)による上への移動を止めて、テープホルダー(７９)よりカバー(９３)を外し、巻粘着テープ（７１）を収納しカバー(９３)を装着して、巻粘着テープ（７１）の端を引き出して粘着面(９４)を粘着面付着版(９１)に付着する。
【００９５】
図１８−図２１符合７１−９４のハンドカッターとしての使用方法は、粘着面付着版(９１)に付着する粘着テープ（７１）端を粘着面付着版(９１)より数センチ引き出して粘着面付着版(９１)に付着させ、テープカッター（７２）上面(平面)を下にして片方の指で粘着テープ（７１）の端をつまんで、他方の指で左右の押しボタン(８６)を押して、アーム（７５）に設けた穴(８７)よりアーム（７５）止めフック(８５)を外すと共に粘着面付着管(８１)が移動して粘着テープ（７１）付着面(９４)が粘着面付着管(８１)に付着し移動して、粘着テープ（７１）はテープストッパーバー(８８)と粘着面付着管(８１)に挟まれる。
【００９６】
粘着面付着管(８１)下の粘着テープ（７１）の端を粘着テープ（７１）使用箇所にもって行き、ローラー（８９）で押さえてからテープカッター（７２）を移動させると共に粘着面付着管（８１）が回転して、粘着テープ（７１）使用箇所端にテープカッター（７２）先端の上カッター刃（９０）を合わせてから上カッター刃（９０）で粘着テープ（７１）を切断する。
【００９７】
図２２−図２５符合９５−１１９は、巻粘着テープ（９５）を収納して使用するテープカッター（９６）底面(９７)の右側面（９８）側と左側面（９９）側のそれぞれにアーム（１００）を取付けるためのアームホルダー(１０１)を設け、左右のアームホルダー(１０１)にアーム（１００）とアーム跳ね上げスプリング(１０２)をアーム軸(１０３)により装着してアーム（１００）は扇転自在に成っていて、アーム跳ね上げスプリング(１０２)の一端は左右アーム（１００）間に形成されたスプリングフックバー(１０４)に係止され、他端はテープホルダー(１０５)で留まっている。
【００９８】
アームホルダー(１０１)にアーム軸(１０３)で留められた左右アーム（１００）の他端に、粘着面付着管軸（１０６）により粘着面付着管(１０７)を装着して、粘着面付着管軸（１０６）は左右アーム（１００）に固定されていて、粘着面付着管軸（１０６）に軸スプリング(１０８)を形成し、粘着面付着管(１０７) 内面円周に複数の突起(１０９)を形成して、軸スプリング(１０８)と複数の突起(１０９)によりラチェット(１１０)機能が形成されて、左右アーム（１００）にアームフック(１１１)を設ける。
【００９９】
左右アーム（１００）のアーム軸(１０３)周囲に溝(１１２)を設け、テープホルダー(１０５)に２本の切れ込みを形成して２本の切れ込み間をアーム留(１１３)にする。
【０１００】
テープカッター（９６）上部の右側面（９８）側と左側面（９９）間にテープスットッパー(１１４)を形成して、テープスットッパー(１１４)下の右側面（９８）と左側面（９９）をアームフック留(１１５)形状にして、右側面（９８）側と左側面（９９）間に回転自在にローラー(１１６)を設けカッター刃(１１７)を配設して、テープホルダー(１０５)にテープカバー(１１８)を脱着容易に装着する。
【０１０１】
図２２−図２５符合９５−１１９でのテープカッター（９６）への巻粘着テープ（９５）の挿入方法は、テープホルダー(１０５)よりカバー（１１８）を外し、粘着面付着管(１０７)と左右アーム（１００）を下げて、左右アーム（１００）のアーム軸(１０３)周囲の溝(１１２)にテープホルダー(１０５)に形成されたアーム留(１１３)を係止して、巻粘着テープ（９５）をテープホルダー(１０５)に挿入し巻粘着テープ（９５）端を引き出して、粘着面付着管(１０７)と左右アーム（１００）を上げ粘着面付着管(１０７)に粘着テープ（９５）の粘着面(１１９)を付着させて、粘着テープ（９５）を粘着面付着管(１０７)とテープスットッパー(１１４)で挟む。
【０１０２】
図２２−図２５符合９５−１１９の使用方法は、ローラー（１１６）下の粘着テープ（９５）の端を粘着テープ（９５）使用箇所にもって行き、粘着テープ（９５）をローラー（１１６）で押さえてからテープカッター（９６）を移動させると共に粘着面付着管（１０７）が回転して粘着テープ（９５）は引き出されて、粘着テープ（９５）使用箇所端にテープカッター（９６）先端のカッター刃（１１７）を合わせてからカッター刃（１１７）で粘着テープ（９５）を切断する。
【０１０３】
図２６−図３９符合１２０−１４４は、巻粘着テープ（１２０）を収納して使用するテープカッター（１２１）の右側面（１２２）と左側面（１２３）を底面(１２４)方向に広げ、広げた右側面（１２２）内側と左側面（１２３）内側に向かい合う溝(１２５)を設けて、溝(１２５)に左右にアーム(１２６)が形成されたアーム取付け版(１２７)を上下動自在に装着する。
【０１０４】
左右のアーム(１２６)間に粘着面付着管軸（１２８）により粘着面付着管(１２９)を装着して、粘着面付着管軸（１２８）は左右アーム（１２６）に固定されていて、粘着面付着管軸（１２８）に軸スプリング(１３０)を形成し、粘着面付着管(１２９) 内面円周に複数の突起(１３１)を形成して、軸スプリング(１３０)と複数の突起(１３１)によりラチェット(１３２)機能が形成されている。
【０１０５】
アーム取付け版(１２７)中央にスプリング留ポール(１３３)を形成して、スプリング留ポール(１３３)にアーム取付け版(１２７)跳ね上げスプリング(１３４)を装着して、右側面（１２２）と左側面（１２３）の底面(１２４)方向に跳ね上げスプリングフック(１３５)を形成しスプリング(１３４)の両端をスプリングフック(１３５)に係止して、テープホルダー(１３６)に２本の切り込みを設け、切り込み間にアーム取付け版フック(１３７)と押しボタン(１３８)を形成して、アーム取付け版(１２７)にアーム取付け版フック(１３７)を留めるための穴(１３９)を設ける。
【０１０６】
テープカッター（１２１）上部の右側面（１２２）と左側面（１２３）間にテープスットッパー(１４０)を形成し、回転自在にローラー(１４１)を装着し、カッター刃(１４２)を配設して、テープホルダー(１３６)にテープカバー(１４３)を脱着容易に装着する。
【０１０７】
図２６−図２９符合１２０−１４４でのテープカッター（１２１）への巻粘着テープ（１２０）の挿入方法は、テープホルダー(１３６)よりカバー（１４３）を外し、粘着面付着管(１２９)と左右アーム（１２６）を有するアーム取付け版(１２７)を下げて、アーム取付け版(１２７)に設けた穴(１３９)にアーム取付け版フック(１３７)を留める。
【０１０８】
巻粘着テープ（１２０）をテープホルダー(１３６)に挿入し巻粘着テープ（１２０）端を引き出し、テープホルダー(１３６)に設けた押しボタン(１３８)を押して穴(１３９)とアーム取付け版フック(１３７)の係止を解除すると共に、アーム取付け版(１２７)は跳ね上げスプリング(１３４)により上へ移動して、粘着面付着管(１２９)に粘着テープ（１２０）端の粘着面(１４４)が付着し着テープ（１２０）はテープスットッパー(１４０)と粘着面付着管(１２９)に挟まれる。
【０１０９】
図２６−図２９符合１２０−１４４の使用方法は、ローラー（１４１）下の粘着テープ（１２０）端の粘着面(１４４)を粘着テープ（１２０）使用箇所にもって行き、粘着テープ（１２０）をローラー（１４１）で押さえてからテープカッター（１２１）を移動させると共に粘着面付着管（１２９）が回転して粘着テープ（１２０）は引き出されて、粘着テープ（１２０）使用箇所端にテープカッター（１２１）先端のカッター刃（１４２）を合わせてからカッター刃（１４２）で粘着テープ（１２０）を切断する。
【産業上の利用可能性】
【０１１０】
粘着テープを使用したダンボール箱の開封の際にカッターナイフで粘着テープを切り裂いて開封し、粘着テープがダンボール箱に張り付いたまま廃棄されるが、突起ロール粘着テープを使用したダンボール箱の開封の際はカッターを使用せず、粘着テープがダンボール箱より剥がされ廃棄されて産業上の利用可能性が高い。
【符号の説明】
【０１１１】
１  粘着テープ
２  テープカッター
３  右側面
４  左側面
５  アーム
６  指レバー
７  スプリング
８  ジョイントボルト
９  粘着面
１０  粘着面付着バー
１１  粘着テープストッパー
１２  カッター刃
１３  巻テープカバー
１４  粘着テープ
１５  突起
１６  粘着面
１７  テープカッター
１８  右側面
１９  左側面
２０  始動アーム
２１  指レバー
２２  スプリング
２３  ジョイントボルト
２４  始動アームバー
２５  ループアーム
２６  ボルト
２７  ループアームバー
２８  ポイント突起
２９  テープスットパー
３０  湾曲カッター刃
３１  巻テープカバー
３２  粘着テープ
３３  テープカッター
３４  右側面
３５  左側面
３６  アーム
３７  アームガイド
３８  指レバー
３９  スプリング
４０  上ポッケット
４１  粘着面
４２  粘着面付着バー
４３  下ポッケット
４４  カッター刃
４５  ローラー
４６  テープスットッパー
４７  紙管ホルダー
４８  溝
４９  スプリング
５０  カバー
５１  粘着テープ
５２  テープカッター
５３  右側面
５４  左側面
５５  アーム
５６  アームガイド
５７  指レバー
５８  スプリング
５９  上ポッケット
６０  粘着面
６１  粘着面付着管軸
６２  粘着面付着管
６３  突起
６４  軸スプリング
６５  下ポッケット
６６  カッター刃
６７  ローラー
６８  テープスットッパー
６９  紙管ホルダー
７０  カバー
７１  粘着テープ
７２  テープカッター  
７３  右側面
７４  左側面
７５  アーム
７６  ジョイント軸
７７  スプリングフックバー
７８  スプリング
７９  テープホルダー
８０  粘着面付着管軸
８１  粘着面付着管
８２  軸スプリング
８３  突起
８４  ラチェット
８５  フック
８６  押しボタン
８７  穴
８８  テープスットッパー
８９  ローラー
９０  上カッター
９１  付着版
９２  下カッター
９３  カバー
９４  粘着面
９５  粘着テープ
９６  テープカッター  
９７  底面
９８  右側面
９９  左側面
１００  アーム
１０１  アームホルダー
１０２  スプリング
１０３  アーム軸
１０４  スプリングフックバー
１０５  テープホルダー
１０６  粘着面付着管軸
１０７  粘着面付着管
１０８  軸スプリング
１０９  突起
１１０  ラチェット
１１１  アームフック
１１２  溝
１１３  アーム留
１１４  テープスットッパー
１１５  アームフック留
１１６  ローラー
１１７  カッター刃
１１８  カバー
１１９  粘着面
１２０  粘着テープ
１２１  テープカッター  
１２２  右側面
１２３  左側面
１２４  底面
１２５  溝
１２６  アーム
１２７  アーム取付け版
１２８  粘着面付着管軸
１２９  粘着面付着管
１３０  軸スプリング
１３１  突起
１３２  ラチェット
１３３  スプリング留ポール
１３４  スプリング
１３５  スプリングフック
１３６  テープホルダー
１３７  アーム取付版フック
１３８  押しボタン
１３９  穴
１４０  テープスットッパー
１４１  ローラー
１４２  カッター刃
１４３  カバー
１４４  粘着面
【図１】
2015083515.tif 000003
【図２】
2015083515.tif 000004
【図３】
2015083515.tif 000005
【図４】
2015083515.tif 000006
【図５】
2015083515.tif 000007
【図６】
2015083515.tif 000008
【図７】
2015083515.tif 000009
【図８】
2015083515.tif 000010
【図９】
2015083515.tif 000011
【図１０】
2015083515.tif 000012
【図１１】
2015083515.tif 000013
【図１２】
2015083515.tif 000014
【図１３】
2015083515.tif 000015
【図１４】
2015083515.tif 000016
【図１５】
2015083515.tif 000017
【図１６】
2015083515.tif 000018
【図１７】
2015083515.tif 000019
【図１８】
2015083515.tif 000020
【図１９】
2015083515.tif 000021
【図２０】
2015083515.tif 000022
【図２１】
2015083515.tif 000023
【図２２】
2015083515.tif 000024
【図２３】
2015083515.tif 000025
【図２４】
2015083515.tif 000026
【図２５】
2015083515.tif 000027
【図２６】
2015083515.tif 000028
【図２７】
2015083515.tif 000029
【図２８】
2015083515.tif 000030
【図２９】
2015083515.tif 000031